(57)【特許請求の範囲】
【請求項１】
複数のブレードを受け入れるように構成されたシャーシと、
電力を前記複数のブレードに供給するように構成された第１のバックプレーンバス・バーを備えるバックプレーンアセンブリと、
第１の電力供給バス・バーを介して電力を供給するように構成された電源と、
前記第１のバックプレーンバス・バーに取り付けられた第１のクランプであって、前記第１のクランプは、工具を使用せずに開位置と閉位置との間で手動で可動であるクランプバーを備え、前記クランプバーが前記閉位置に移動する場合、前記クランプバーは、前記第１の電力供給バス・バーを、前記第１のバックプレーンバス・バーと電気接触させるように構成される、第１のクランプと
を備える、装置。
【請求項２】
前記シャーシおよび前記電源は、前記クランプバーが前記開位置にある場合、前記電源が、工具を使用せずに、前記シャーシから取り除かれ得るように構成される、請求項１に記載の装置。
【請求項３】
力は、前記クランプバーに連結された圧縮性のスピンドルを介して、前記クランプバーから前記第１の電力供給バス・バーへと移動する、請求項１に記載の装置。
【請求項４】
前記圧縮性のスピンドルはバネ機構を備える、請求項３に記載の装置。
【請求項５】
前記圧縮性のスピンドルは、製造における許容誤差に起因する、前記第１の電力供給バス・バーの厚さおよび／または前記第１のバックプレーンバス・バーの厚さのばらつきに左右されずに、少なくとも所定のレベルのクランプ力を提供するように構成される、請求項３に記載の装置。
【請求項６】
前記第１のクランプはトグルクランプを備える、請求項１に記載の装置。
【請求項７】
前記第１のクランプは、前記トグルクランプを前記第１のバックプレーンバス・バーに取り付けるベース部をさらに備える、請求項６に記載の装置。
【請求項８】
前記ベース部は、前記トグルクランプと前記第１のバックプレーンバス・バーとの間に電気的な絶縁を提供するように、少なくとも部分的に非導電である、請求項７に記載の装置。
【請求項９】
第２のバックプレーンバス・バーに取り付けられた第２のクランプであって、前記第２のクランプは、第２の電力供給バス・バーを、前記第２のバックプレーンバス・バーと電気接触させるように配置される、第２のクランプをさらに備える、請求項１に記載の装置。
【請求項１０】
複数のブレードを受け入れるように構成されたシャーシと、
電力を前記複数のブレードに提供するように構成された複数のバックプレーンバス・バーを備えるバックプレーンアセンブリと、
複数の電力供給バス・バーを介して電力を供給するように構成された電源と、
１つ以上のクランプであって、各々のクランプは、前記複数のバックプレーンバス・バーの各々１つに取り付けられ、各々のクランプは、工具を使用せずに開位置と閉位置との間で手動で可動である各々のクランプバーを備え、前記クランプバーが前記閉位置に移動する場合、各々のクランプバーは、前記複数の電力供給バス・バーの各々の１つを、前記クランプが取り付けられる前記バックプレーンバス・バーと電気接触させる、１つ以上のクランプと
を備える、装置。
【請求項１１】
前記シャーシおよび前記電源は、前記１つ以上のクランプの前記各々のクランプバーが前記開位置へと全て移動した場合、前記電源が工具を使用せずに前記シャーシから取り除かれ得るように、構成される、請求項１０に記載の装置。
【請求項１２】
前記複数のバックプレーンバス・バーは、第１のバックプレーンバス・バーおよび第２のバックプレーンバス・バーを備え、
前記複数の電力供給バス・バーは、第１の電力供給バス・バーおよび第２の電力供給バス・バーを備える、請求項１０に記載の装置。
【請求項１３】
前記１つ以上のクランプは、
前記第１の電力供給バス・バーを、前記第１のバックプレーンバス・バーと電気接触させるように構成される第１のクランプと、
前記第２の電力供給バス・バーを、前記第２のバックプレーンバス・バーと電気接触させるように構成される第２のクランプとを備える、請求項１２に記載の装置。
【請求項１４】
シャーシ内でバックプレーンアセンブリに連結される複数のブレードに電源から電力を供給する方法であって、
前記電源の電力供給バス・バーを、バックプレーンバス・バーに取り付けられたクランプを用いて、バックプレーンバス・バーと電気接触させる工程であって、前記クランプは、工具を使用せずに開位置と閉位置との間で手動で可動であるクランプバーを備え、前記クランプバーが前記閉位置に移動する場合、前記クランプバーは、前記電力供給バス・バーを、前記バックプレーンバス・バーと電気接触させるように構成される、工程と、
前記電力供給バス・バーを介して電力を前記バックプレーンバス・バーに供給する工程と、
前記バックプレーンバス・バーを介して前記ブレードに電力を配電する工程とを含む、方法。
【請求項１５】
前記電源の電力供給バス・バーを、バックプレーンバス・バーに取り付けられたクランプを用いて、バックプレーンバス・バーと電気接触させる前記工程は、前記閉位置へと前記クランプを手動で移動させる、請求項１４に記載の方法。
【請求項１６】
前記電源が前記シャーシから取り除かれる必要がある場合に、前記クランプを前記開位置に手動で移動させる工程と、
前記電力供給バス・バーを備える前記電源を、工具を使用せずに、前記シャーシから取り除く工程とをさらに含む、請求項１５に記載の方法。
【発明の詳細な説明】
【技術分野】
【０００１】
（著作権およびトレードドレスについての通知）
本特許文献の開示の一部は、著作権保護下にある資料を含む。本特許文献は、その所有者のトレードドレスである事柄を示し、および／または記載している場合があり、あるいは、トレードドレスとなる場合がある。著作権およびトレードドレスの所有者は、本特許の開示について、特許商標局への出願または記録通りであれば、何者によらずファクシミリ等による複製に対して意義を申し立てないが、そうではない場合には、いかなるものであっても、全ての著作権およびトレードドレスの権利を保有するものである。
【０００２】
本開示は、複合電子システム内での配電に関する。
【背景技術】
【０００３】
複合電子装置、例えば、メインフレームコンピュータ、サーバアレイ、ネットワークルータおよびスイッチ、ならびにネットワーク試験装置等は、通常、複数のブレードを含むシャーシとして構成される。ブレードはまた、カード、ラインカード、ネットワークカード、またはモジュールと言われる場合もある。各々のブレードは、プロセッサ、フィールドプログラマブルゲートアレイ（ＦＰＧＡ）、特定用途向け集積回路（ＡＳＩＣ）、プログラム可能論理回路（ＰＬＤ）、プログラマブルロジックアレイ（ＰＬＡ）、メモリ回路、および他の種類のデバイスを含む複数の集積回路デバイスを含んでよい。加えて、ブレードは、他のアナログおよびデジタルの部品、ソフトウェアおよび／またはファームウェアを含んでよい。シャーシは、例えば、１２個または１６個のブレードを含んでよい。各ブレードの電力消費は、５００ワットを超過する場合もあり、シャーシ内での電力消費全体が６００ワットを超過する場合もある。
【０００４】
シャーシは、通常は、一次電力を二次電力へと変換する少なくとも１つの電源と、その二次電力をブレードに分配するための配電システムとを備える。障害が生じた際に電源を付け替えることができるためには、電源および配電システムは、そうした配電から電源の接続を切ることが出来るように構成されてよい。例えば、電源と配電システムとの間の電気的な接続は、非常に高い電流の電気コネクタを介してなされてよい。しかしながら、電源と配電サブシステムとの間の電流の流れは、数百アンペアである場合がある。このような電流レベルを導電するのに適切な電気コネクタは、大きく、高い挿入力を有し、著しい電圧低下を生じさせ、従って、一部の装置における使用には適していない場合がある。
【０００５】
あるいは、電源と配電システムとの間の電気的な接続は、バス・バーまたはボルトで連結された重い電気ケーブルを用いてなされてもよい。しかしながら、電源と配電システムとを連結するバス・バーおよび／またはケーブル間の連結をボルトで留めることは、両方の工具を必要とし、かつ、ボルト連結された接続部への容易なアクセスが必要となる。障害が生じた際には、その障害が生じている電源は取り除かれることができ、かつ工具を用いずに換わりの電源が設置されることが好ましい場合もある。
【発明の概要】
【発明が解決しようとする課題】
【０００６】
複数のブレードを受け入れるように構成されたシャーシを含む装置を提供する。
【課題を解決するための手段】
【０００７】
本発明は、以下の手段を提供する。
（項目１）
複数のブレードを受け入れるように構成されたシャーシと、
電力を上記複数のブレードに供給するように構成された第１のバックプレーンバス・バーを備えるバックプレーンアセンブリと、
第１の電力供給バス・バーを介して電力を供給するように構成された電源と、
上記第１の電力供給バス・バーを、上記第１のバックプレーンバス・バーと電気接触させるように配置された第１のクランプと
を備える、装置。
（項目２）
上記第１のクランプは、開位置と閉位置との間で可動であるクランプバーを備え、
上記クランプバーが上記閉位置にある場合、上記クランプバーは、上記第１の電力供給バス・バーを、上記第１のバックプレーンバス・バーと電気接触させる、項目１に記載の装置。
（項目３）
上記第１のクランプは、上記クランプバーが、工具を使用せずに、上記開位置と上記閉位置との間で移動できるように構成され、
上記シャーシおよび上記電源は、上記クランプバーが上記開位置にある場合、上記電源が、工具を使用せずに、上記シャーシから取り除かれ得るように構成される、項目２に記載の装置。
（項目４）
力は、上記クランプバーに連結された圧縮性のスピンドルを介して、上記クランプバーから上記第１の電力供給バス・バーへと移動する、項目２に記載の装置。
（項目５）
上記圧縮性のスピンドルはバネ機構を備える、項目４に記載の装置。
（項目６）
上記圧縮性のスピンドルは、製造における許容誤差に起因する、上記第１の電力供給バス・バーの厚さおよび／または上記第１のバックプレーンバス・バーの厚さのばらつきに左右されずに、少なくとも所定のレベルのクランプ力を提供するように構成される、項目４に記載の装置。
（項目７）
上記第１のクランプはトグルクランプを備える、項目１に記載の装置。
（項目８）
上記第１のクランプは、上記トグルクランプを上記第１のバックプレーンバス・バーに取り付けるベース部をさらに備える、項目７に記載の装置。
（項目９）
上記ベース部は、上記トグルクランプと上記第１のバックプレーンバス・バーとの間に電気的な絶縁を提供するように、少なくとも部分的に非導電である、項目８に記載の装置。
（項目１０）
第２の電力供給バス・バーを、第２のバックプレーンバス・バーと電気接触させるように配置された第２のクランプをさらに備える、項目１に記載の装置。
（項目１１）
複数のブレードを受け入れるように構成されたシャーシと、
電力を上記複数のブレードに提供するように構成された複数のバックプレーンバス・バーを備えるバックプレーンアセンブリと、
複数の電力供給バス・バーを介して電力を供給するように構成された電源と、
上記複数の電力供給バス・バーの各々を、上記複数のバックプレーンバス・バーの各々１つと電気接触させるように配置された１つ以上のクランプと
を備える、装置。
（項目１２）
上記１つ以上のクランプの各々は、開位置と閉位置との間で移動するように構成された各々のクランプバーを備え、
上記クランプバーが上記閉位置にある場合、上記クランプバーは、上記複数の電力供給バス・バーの１つ以上を、上記各々のバックプレーンバス・バーと電気接触させる、項目１１に記載の装置。
（項目１３）
上記１つ以上のクランプの各々は、工具を使用せずに、上記開位置と上記閉位置との間で、手動で上記クランプバーが移動可能であるように構成され、
上記シャーシおよび上記電源は、上記１つ以上のクランプの上記各々のクランプバーが上記開位置へと全て移動した場合、上記電源が工具を使用せずに上記シャーシから取り除かれ得るように、構成される、項目１２に記載の装置。
（項目１４）
上記複数のバックプレーンバス・バーは、第１のバックプレーンバス・バーおよび第２のバックプレーンバス・バーを備え、
上記複数の電力供給バス・バーは、第１の電力供給バス・バーおよび第２の電力供給バス・バーを備える、項目１１に記載の装置。
（項目１５）
上記１つ以上のクランプは、
上記第１の電力供給バス・バーを、上記第１のバックプレーンバス・バーと電気接触させるように構成される第１のクランプと、
上記第２の電力供給バス・バーを、上記第２のバックプレーンバス・バーと電気接触させるように構成される第２のクランプとを備える、項目１４に記載の装置。
（項目１６）
シャーシ内でバックプレーンアセンブリに連結される複数のブレードに電源から電力を供給する方法であって、
上記電源の電力供給バス・バーを、クランプを用いて、バックプレーンバス・バーと電気接触させる工程と、
上記電力供給バス・バーを介して電力を上記バックプレーンバス・バーに供給する工程と、
上記バックプレーンバス・バーを介して上記ブレードに電力を配電する工程とを含む、方法。
（項目１７）
上記クランプは、開位置と閉位置との間で手動で切り替えられるように構成されており、上記方法は、
上記電力供給バス・バーを、上記バックプレーンバス・バーと電気接触するように、上記閉位置へと上記クランプを切り替える工程をさらに含む、項目１６に記載の方法。
（項目１８）
上記電源が上記シャーシから取り除かれる必要がある場合に、上記クランプを上記開位置に切り替える工程と、
上記電力供給バス・バーを備える上記電源を、工具を使用せずに、上記シャーシから取り除く工程とをさらに含む、項目１７に記載の方法。
【０００８】
（摘要）
複数のブレードを受け入れるように構成されたシャーシを含む装置が開示される。このシャーシは、電力を複数のブレードに提供するように構成されたバックプレーンバス・バー、および電力供給バス・バーを介して電力を供給するように構成された電源を備え得るバックプレーンアセンブリを含んでよい。電力供給バス・バーをバックプレーンバス・バーに電気接触するようにクランプを配置してよい。
【図面の簡単な説明】
【０００９】
【図１】図１は、ネットワークに接続されたネットワーク試験ユニットのブロック図である。
【図２】図２は、シャーシ内の配電を示す簡略化された概略図である。
【図３】図３は、例示的なシャーシの斜視図である。
【図４】図４は、配電システムの概略的な上面図である。
【図５】図５は、配電システムの概略的な背面図である。
【図６】図６は、配電システムの概略的な側面図である。
【図７】図７は、高電流圧着コネクタおよび付随するバス・バーの斜視図である。
【発明を実施するための形態】
【００１０】
本記載全体を通して、部材は３桁の参照番号が割り当てられており、最上位の桁は、その部材が最初に導入される図面の番号を示す。図面と併せて記載されていない部材は、同様の参照番号を有する既出の部品と同じ特徴および機能を有するものとして考えてよい。
【００１１】
図１は、通信経路１８５を介して試験下のネットワーク１９０に接続されたネットワーク試験ユニット１００のブロック図を示す。試験下のネットワーク１９０は、ネットワークを介して通信可能な複数の他のデバイス１９５を備えてもよく、またはそれらに連結されてもよい。ネットワーク試験ユニット１００は、ネットワーク試験デバイス、性能分析装置、適合性確認システム、ネットワーク分析装置、またはネットワーク管理システムであってもよい。ネットワーク試験ユニット１００は、ネットワークカードまたはモジュールとも呼ばれる場合のある１つ以上のブレード１３０、および、シャーシ１１０内に備えられるかまたは取り囲まれたバックプレーンアセンブリ１２０を備えてもよい。シャーシ１１０はまた、電源１４０、ならびに、ブレード１３０上の部品によって生成される熱を取り除くための冷却システム１８０を備えていてもよい。シャーシ１１０は、ネットワーク試験ユニット１００の部品を備えるように適切な、固定の、またはポータブルのシャーシ、キャビネット、または筐体であってもよい。
【００１２】
図１に示すネットワーク試験ユニット１００は、典型的な複合電子装置である。シャーシ内の複数の交換可能なブレードまたはカードとして構成されてもよい他の電子装置は、メインフレームコンピュータ、サーバコンピュータ、大容量記憶装置、ルータおよびスイッチ等の通信ネットワーク装置、ならびに他の複合電子装置を含む。
【００１３】
ブレード１３０の各々は、独立して取外し可能であってよく、かつシャーシ１１０内で取替え可能であってよい。ブレード１３０の各々は、個々のコネクタ（識別せず）を介してバックプレーンアセンブリ１２０と相互接続してもよい。バックプレーンアセンブリ１２０は、ブレード１３０間でデータおよび信号を送るためのバスまたは通信媒体として機能してよい。バックプレーンアセンブリ１２０はまた、各ブレードをバックプレーンに連結するコネクタを介して電源１４０からブレード１３０へ二次電力を送ってもよい。
【００１４】
各々のブレード１３０は、プロセッサ、メモリ、および／または他の集積回路デバイスならびに、ブレードの意図された機能を実行するために必要とされる他の部品（図示せず）を含んでもよい。各々のブレード１３０はまた、電力コンバータ１３５を含んでもよい。各々の電力コンバータ１３５は、バックプレーンアセンブリ１２０を介して電源１４０から二次電力を受け取ってもよい。各々の電気コンバータは、ブレードの集積回路デバイスに電力を供給するために、二次電力を、１つ以上の低電圧源に変換してもよい。
【００１５】
図２は、シャーシ１１０等のシャーシ内の配電サブシステムの簡略化された概略図である。図２の例において、シャーシは、Ｎ個のブレード、すなわち１３０−１から１３１−Ｎを含み、ここでＮは１より大きい整数である。Ｎは、例えば１０、１２、１６または一部の他の数のブレードであってもよい。シャーシ内の電源１４０は、シャーシが位置する建物または他の施設から一次電力を受け取ってもよい。一次電力は、米国においては、標準の１１５ボルト６０ヘルツの単相ＡＣ電力であってよい。大型のシャーシまたは複数のシャーシシステムの場合、一次電力は、２３０ボルトの単相ＡＣ電力、あるいは、２０８ボルトまたは４１５ボルトの三相ＡＣ電力であってもよい。電源１４０は、単一のＤＣ電圧Ｖｓの形態で二次電力を出力してもよい。二次電力の電圧レベルは、例えば、１２ボルト、３０ボルト、４８ボルト、または一部の他の電圧であってもよい。
【００１６】
電源１４０からの二次電圧Ｖｓおよび地帰路Ｇｎｄは、バックプレーンアセンブリ１２０を介して、複数のブレード１３０−１から１３０−Ｎに連結されてもよい。同じ二次電圧がブレードの各々に供給されることを保証するために、バックプレーンアセンブリは、数百アンペアの電流を、電圧低下をさせずにブレードに送らなければならない。バックプレーンアセンブリ１２０は、ＶｓおよびＧｎｄを各々導電させるために、第１のバックプレーンバス・バー１２２および第２のバックプレーンバス・バー１２４を備えてもよい。バックプレーンバス・バー１２２、１２４は、高い導電率を有する銅またはアルミニウム等の材料から製造されてよい。バックプレーンバス・バー１２２、１２４は、バックプレーン全体に亘って、非常に低い電気抵抗と、従って非常に低い電圧を提供するために、大きな断面積を有してよい。
【００１７】
ここで図３を参照すると、シャーシ３１０は、複数のブレード（図示せず）を受け入れるように構成された中央キャビティ３１２を備えてよい。シャーシ３１０は、キャビティ内の位置へとブレードをスライドさせることを容易にするためのカードガイド部３１４を備えてよい。キャビティ３１２の端部に位置するバックプレーンアセンブリ３２０は、各々のブレードに連結するためのコネクタ３２６を備えてよい。
【００１８】
冷却システム３８０は、バックプレーンアセンブリ３２０の後ろの、シャーシ３１０の後方に配置されてよい。冷却システム３８０は、例えば、熱を除去するために、ブレード全体に亘って空気を循環させるファンを備えてよい。電源３４０はまた、バックプレーンアセンブリ３２０の後の、シャーシ３１０の後方に配置されてもよい。冷却システムおよび電源はシャーシ内の他の位置に配置されてもよい。
【００１９】
図４は、シャーシ３１０内にて用いられるための配電システム４００の概略的な上面図を示す。配電システムを可視化させるために、冷却システムおよびシャーシ３１０の構造上の部品は図４〜図７においては示さない。
【００２０】
図４において、複数のブレード４３０−１から４３０−Ｎは、個々のコネクタ３２６によって、バックプレーンアセンブリ３２０に連結される。バックプレーンアセンブリ３２０は、コネクタ３２６間のデータおよび信号を送るためのマザーボード４２８を備えてもよい。バックプレーンアセンブリ３２０は、１つ以上のバックプレーンバス・バーを備えてよく、第１のバックプレーンバス・バー４２２を図４に見ることができる。バックプレーンバス・バーは、２つ以上の電源バス・バー４４２Ａ、４４２Ｂ、および４４４ならびに２つ以上のアングル（ａｎｇｌｅ）バス・バーによって、電源３４０の出力部に電気接触されてよく、第１のアングルバス・バー４４６を図４に見ることができる。電源バス・バー４４２Ａ、４４２Ｂ、および４４４は、電源３４０の個々の出力端子（図示せず）に接続してよい。図４の例において、電源バス・バー４４２Ａおよび４４２Ｂは、電源３４０の別個の正の出力端子に接続してもよく、電源バス・バー４４４は、電源３４０の負または接地の出力端子に接続してもよい。電源バス・バー４４２Ａ、４４２Ｂ、および４４４は、２つ以上のアングルバス・バー（第１のアングルバス・バー４４６を含む）に接続してもよく、アングルバス・バーは個々のバックプレーンバス・バー（第１のバックプレーンバス・バー４２２を含む）に接続してもよい。
【００２１】
図４の配電システムにおいて、電源バス・バー４４２Ａ、４４２Ｂ、および４４４は、電源３４０の出力部の突起部（可視化せず）にボルトで留められてもよい。電源バス・バー４４２Ａ、４４２Ｂ，および４４４はまた、第１のアングルバス・バー４４６を含む２つ以上のアングルバス・バーに、ボルトで留められるか、はんだ付けされるか、溶接されるか、あるいは、恒久的に接続されてもよい。電源バス・バー４４２Ａ、４４２Ｂ、および４４４ならびにアングルバス・バーは、電源に恒久的に、または半恒久的に取り付けられてもよいので、電源バス・バーおよびアングルバス・バーは、電源の一部として想定されてもよい。２つ以上のアングルバス・バーは、低い抵抗での電気接触を保証するのに十分な力で、角度を付けられた（ａｎｇｌｅｄ）バス・バーを、個々のバックプレーンバス・バーに対して付勢する１つ以上の圧着部（クランプ）を用いて、個々のバックプレーンバス・バーに接続されてもよい。低い抵抗での接続を確立するのに必要とされる力の議論は、Ｓｔｅｐｈａｎ  Ｓｃｈｏｆｔら，「Ｊｏｉｎｔ  Ｒｅｓｉｓｔａｎｃｅ  ｏｆ  Ｂｕｓｂａｒ−Ｊｏｉｎｔｓ  ｗｉｔｈ  Ｒａｎｄｏｍｌｙ  Ｒｏｕｇｈ  Ｓｕｒｆａｃｅｓ」，Ｐｒｏｃｅｅｄｉｎｇｓ  ｏｆ  ｔｈｅ  ２１ｓｔ  Ｃｏｎｆｅｒｅｎｃｅ  ｏｎ  Ｅｌｅｃｔｒｉｃａｌ  Ｃｏｎｔａｃｔｓ，２００２年，チューリヒ，２３０〜２３７ページに見出され得る。
【００２２】
図４の配電システムにおいて、第１のクランプ４６０は、第１のアングルバス・バー４４６を、第１のバックプレーンバス・バー４２２に対して押し付けてよい。クランプ４６０は、第１のトグルクランプ４６１を備えてよく、これは、Ｄｅ−Ｓｔａ−Ｃｏ、Ｃａｒｒ  Ｌａｎｅおよび他のサプライヤーから入手可能なクランプ等の商業的に利用可能なトグルクランプであってよい。トグルクランプは、通常は、機械製作工により用いられ、ボール盤またはフライス盤等の工作機械のテーブルに対してワークピースを保持する。第１のトグルクランプ４６１は、第１のベース部４６２により、第１のバックプレーンバス・バー４２２に機械的に接続されてよい。第１のベース部４６２は、第１のクランプ４６０を第１のバス・バー４２２から電気的に絶縁するために、少なくとも部分的に、非導電性材料または誘電性材料からできていてよい。例えば、第１のベース部４６２は、強化プラスチック材料でできていてもよい。
【００２３】
第１のクランプ４６０は、第１のハンドル部４６３および第１のクランプバー４６４を備えてもよい。第１のハンドル部４６３は、一連のピボット部およびリンク部により、第１のクランプバー４６４に連結されてもよい。第１のハンドル部４６３が開位置へと（第１のバックプレーンバス・バー４２２から離れて）回転した場合、破線部分４６７によって示すように、リンク部は、第１のクランプバー４６４をも上方に回転させるように作用してよい。第１のハンドル部が閉位置へと移動される場合、図４に示すように、リンク部は、第１のクランプバーを下方に（図示するように、第１のバックプレーンバス・バー４２２の方へ）回転させてよい。第１のハンドル部４６３および第１のクランプバー４６４を連結するリンク部は、第１のハンドル部が図示のように閉位置にある場合に、クランプがそれ自体で締まる（ｓｅｌｆ−ｌａｔｃｈｉｎｇ）ように構成されてよい。
【００２４】
第１のスピンドル部４６５は、第１のクランプバー４６４に連結され、第１のアングルバス・バー４４６を第１のバックプレーンバス・バー４２２に対して押し付けてもよい。第１のスピンドル部４６５は、例えば、第１のクランプバー４６４において、はめ合わせ用のネジ穴にねじ込まれるネジ部を備えてもよい。あるいは、１つ以上の拘束ナットを、第１のスピンドル部４６５のネジ部を第１のクランプバー４６４に連結するために用いてもよい。いずれの場合においても、第１のスピンドル部の効果的な長さは、スピンドル部を回転させることによって調節されてよい。シンプルなボルト等の剛性のスピンドル部が、力を、トグルクランプからクランプされる物品へと移動させるために用いられる場合、そのクランプ力は、圧着される（ｃｌａｍｐｅｄ）物品の厚さの僅かな差に従って、実質的に様々であってよい。第１のスピンドル部４６５は、圧縮性であってもよく、または、圧縮性の部分を含んでいてもよい。圧縮性のスピンドル部は、第１のアングルバス・バー４４６および第１のバックプレーンバス・バー４２２の厚さにおける僅かな差に対応してよく、同時に他方で、低い抵抗の電気接触を保証するのに十分な力を維持してもよい。圧縮性のスピンドル部の一部は、可撓性材料またはバネ機構であってもよい。例えば、図４に示すように、第１のスピンドル部４６５は、バネのプランジャ４６６を備えてよい。このバネのプランジャ４６６は、基本的に、コイルバネを囲い込んだ２つのはめ込みのシリンダであってもよい。バネのプランジャ４６６は、第１のアングルバス・バーが第１のバックプレーンバス・バー４２２に対して圧着される場合に圧縮されてよく、その結果、十分な力が、バス・バーの製造における許容誤差に左右されずに、圧着された接続部に付与される。バネのプランジャ４６６およびスピンドル部４６５は、例えば、Ｄｅ−Ｓｔａ−Ｃｏから入手可能であるＰｌｕｎｇｅｒ−Ｍａｔｉｃアセンブリであってもよい。
【００２５】
第１のクランプバー４６４が、破線輪郭４６７によって示すように、開位置に回転される場合、取り付けられた電源およびアングルバス・バーを備える電源１４０は、電源と第１のバックプレーンバス・バー４２２との間の電気接触を切るために、工具を使用せずに、シャーシの後方を介して（図４に示すように、上方向に）、取り除かれてよい。
【００２６】
図５は例示的な配電システム４００の概略的な背面図を示す。図５において可視化された、前述の部品は、電源３４０と、第１のバックプレーンバス４２２に連結されたマザーボード４２８を備える。電源バス４４２Ａは、第１のアングルバス４４６に接続されてよく、第１のアングルバス４４６は、第１のクランプ４６０によって第１のバックプレーンバス４２２に対して圧着され、第１のクランプ４６０は、第１のトグルクランプ４６１、第１のハンドル部４６３、第１のクランプバー４６４、第１のスピンドル部４６５、および第１のバネのプランジャ４６６を備える。
【００２７】
第２のバックプレーンバス・バー５２４はまた、マザーボード４２８に連結されてもよい。第２のクランプ５７０は、第２のバックプレーンバス・バー５２４に対して第２のアングルバス５４８を圧着してよい。第２のクランプ５７０の構成は、第１のクランプ４６０と実質的に同一であってよい。第２のクランプ５７０は、第２のトグルクランプ５７１、第２のハンドル部５７３、第２のクランプバー５７４、第２のスピンドル部５７５、および第２のバネのプランジャ５７６を備えてよい。第２のトグルクランプ５７１は、第２のベース部５７２によって、第２のバックプレーンバス・バー５２４に機械的に取り付けられてもよい。第２のベース部５７２は、第２のクランプ５７０を、第２のバックプレーンバス・バー５２４から電気的に絶縁させるために、非導電性材料から製造されてもよい。
【００２８】
図６は、例示的な配電システム４００の概略的な側面図を示す。図６において可視化された前述の部品は、コネクタ４２６を介して、マザーボード４２８に連結される第１のブレード４３０−１を備える。第１のバックプレーンバス４２２および第２のバックプレーンバス５２４の端部が可視化されている。第１のアングルバス４４６および第２のアングルバス５４８は、各々、第１および第２のクランプ（可視化されていない）により、第１のバックプレーンバス４２２および第２のバックプレーンバス５２４に圧着されてよい。電源バス・バー４４２Ａ、４４２Ｂ、および４４４は、二次電源を、電源３４０から第１および第２のアングルバス・バー４４６、５４８へと導電させてよい。冷却システム３８０は、冷却空気を循環させて、複数のブレード上に生成された熱を取り除いてよく、第１のブレード４３０−１が可視化されている。
【００２９】
図７は、配電システム４００のバス・バーおよびクランプのみを示す斜視図である。図７において可視化された前述の部品は、第１のクランプ４６０によって第１のバックプレーンバス・バー４２２に圧着された第１のアングルバス・バー４４６、第２のクランプ５７０によって、第２のバックプレーンバス・バー５２４に圧着された第２のアングルバス・バー５４８、ならびに、電源バス・バー４４２Ａ、４４２Ｂ、および４４４を備える。電源バス・バー４４２Ａおよび４４２Ｂは、ボルト締め（図示せず）、溶接、はんだ付け、または他の接続方法を用いて、第１のアングルバス・バー４４６に接続されてよい。電源バス・バー４４４は、ボルト締め（図示せず）、溶接、はんだ付け、または他の接続方法を用いて、第２のアングルバス・バー５４８に接続されてよい。適切な絶縁体（可視化せず）が、電気的接触を防ぐために、電源バス・バー４４２Ｂと第２のアングルバス・バー５４８との間に配置されてもよい。
【００３０】
図４〜図７の例示的な配電システム４００において、各々のバックプレーンバス・バー４２２、５２４は、厚さ０．３７５インチ、幅１．０インチ、および長さ約１５インチを有してもよい。各々のアングルバス・バー４４６、５４８は、厚さ０．２５インチおよび幅１．０インチを有してもよい。各々の角度が付けられたバス・バーが各々のバックプレーンバス・バーに対して圧着される重複領域は、約１．０×１．６２５インチであってよい。第１および第２のクランプ４６０、５７０は、各々、Ｄｅ−Ｓｔａ−Ｃｏのパーツ番号２２５−ＵＢであってよく、第１および第２のスピンドル部およびバネのプランジャアセンブリ４６５／４６６、５７５／５７６は各々、Ｄｅ−Ｓｔａ−Ｃｏのパーツ番号９０５であってよい。各々の角度が付けられたバス・バーを各々のバックプレーンバス・バーに対して圧着するために付与される力は、５０〜１００ポンド（約２２．７キログラム〜約４５．４キログラム）であってよい。例示的な配電システム４００は、全ての接続についての全電圧低下が０．２０ボルト未満で、電源からバックプレーンバス・バーへ、６２５アンペアで導電するのに適していてよい。
【００３１】
電源バス・バー４４２Ａ、４４２Ｂ、および４４４、ならびに、アングルバス・バー４４６、５４８の機能は、電力を、電源３４０からバックプレーンアセンブリ３２０に運ぶことであるので、それらは、電力供給バス・バーとして集合的に想定されてもよい。電源バス・バー４４２Ａ、４４２Ｂ、および第１のアングルバス・バー４４６は、第１の電力供給バス・バーを構成し、電源バス・バー４４４および第２のアングルバス・バー５４８は、第２の電力供給バス・バーを構成する。電力供給バス・バーは、単一部分からできていてもよく、あるいは、ボルト締め、はんだ付け、溶接、または他の技術によって繋がれた２つ以上の部分からできていてもよい。電力供給バス・バーの一部は、曲げられ、折られ、ねじられてもよく、あるいは、特定のシャーシ内において、電源からバックプレーンアセンブリへと電力を運ぶために、必要に応じてフレキシブルであってよい。
【００３２】
配電システムは、３つ以上のバックプレーンバス・バーを備えてもよく、かつ、３つ以上の電力供給バス・バーを備えてもよい。配電システムは、典型的には、各々のバックプレーンバス・バーに接続された少なくとも１つの電力供給バス・バーを備えていてもよい。配電システムは、２つより多くの、または２つより少ないクランプを備えていてもよい。配電システムは、各々のバックプレーンバス・バーについて１つのクランプを備えていてもよい。配電システムは、バックプレーンバス・バーよりも少ない数のクランプを備えていてもよく、この場合、クランプの少なくとも一部は、複数の接続を圧着してよい。
【００３３】
（終わりに）
本記載全体を通して、示された実施形態および例は、開示された、または特許請求の範囲において請求された装置および手順についての限定ではなく、典型例として想定されるべきものである。本明細書において提示された例の多くは、方法の作用またはシステムの要素の特定の組合せに関連するものであるけれども、それらの作用およびそれらの要素は、他の方法において、組み合わされてよく、同じ課題を達成するものとして理解されるべきである。フローチャートに関して、追加の工程および工程の削減もまた考慮されてよく、図示した工程は、本明細書において記載された方法を達成するために組み合わされてもよく、またはさらに改良されてもよい。１つの実施形態のみに関連して記載された作用、要素、および特徴は、他の実施形態における同様の役割から排除されることは意図されていない。
【００３４】
本明細書において用いられるように、「複数」とは、２つ以上を意味する。本明細書において用いられるように、「一連の」物品とは、１つ以上のそのような物品を含み得る。本明細書において用いられるように、明細書の記載または特許請求の範囲の請求項においては、用語「含む、備える（ｃｏｍｐｒｉｓｉｎｇ）」、「運ぶ、有する、持つ（ｃａｒｒｙｉｎｇ）」、「有する（ｈａｖｉｎｇ）」、「含む、備える（ｉｎｃｌｕｄｉｎｇ）」、「含む、関する、関連する（ｉｎｖｏｌｖｉｎｇ）」等は、オープンエンド型、すなわち、含むがそれらに限定されないということを意味することは理解されるべきである。「〜からなる」および「〜から実質的になる」といった移行句の各々のみが、特許請求の範囲の請求項に関しては、クローズ型、または半クローズ型の移行句である。請求項の要素を変更するために、特許請求の範囲の請求項における「第１」、「第２」、「第３」等の序数の用語の使用は、それ自体では、任意の優先順位、優位性、またはある請求項の要素が他のものより先であったり、または、ある方法の作用が行われる時間的順序等を含意せず、請求項の要素を区別するために、特定の名前を有するある請求項の要素から、同じ名前を有する別の要素を区別するためのラベルとして（順序を示す用語の使用を別にして）単に用いられる。本明細書において用いられるように、「および／または」は、リストアップされた物品が二者択一であることを意味するが、そうした二者択一もまた、そうしてリストアップされた物品の任意の組合せを含むものである。
【図１】
0005706290.tif 000002
【図２】
0005706290.tif 000003
【図３】
0005706290.tif 000004
【図４】
0005706290.tif 000005
【図５】
0005706290.tif 000006
【図６】
0005706290.tif 000007
【図７】
0005706290.tif 000008